(57)【要約】【課題】指示画像が形成された収容シートを特定サイズに切断する作業を、ユーザーが容易に行うことができる画像形成装置を提供する。【解決手段】画像形成装置１００は、カセット５と、画像形成部８と、取得部１５ａと、比較部１５ｂと、判定部１５ｃとを備える。取得部１５ａは、特定サイズＬ１のシートに形成するように指示された指示画像２１の画像データを取得する。比較部１５ｂは、特定サイズＬ１と、シートＴ２のサイズであるシートサイズＬ２とを比較する。判定部１５ｃは、比較部１５ｂの比較結果に基づいて、シートＴ２に加工画像２０を形成するか否かを判定する。【選択図】図２
2020112653.tif 000002
【特許請求の範囲】
【請求項１】
収容シートを収容する収容部と、
前記収容シートに画像を形成する画像形成部と、
特定サイズのシートに形成するように指示された指示画像の画像データを取得する取得部と、
前記特定サイズと、前記収容シートのサイズであるシートサイズとを比較する比較部と、
前記比較部の比較結果に基づいて、前記収容シートに加工画像を形成するか否かを判定する判定部と
を備え、
前記加工画像は、前記指示画像と、前記特定サイズのシートの縁部の位置を示す縁画像とを含む、画像形成装置。
【請求項２】
前記シートサイズが前記特定サイズよりも大きいと前記比較部が判断し、かつ、前記縁画像が必要であることを示す必要信号を前記判定部が受信すると、前記判定部は、前記収容シートに前記加工画像を形成する旨の判定をする、請求項１に記載の画像形成装置。
【請求項３】
前記シートサイズが前記特定サイズよりも大きいと前記比較部が判断することで、前記判定部は、前記収容シートに前記加工画像を形成する旨の判定をする、請求項１に記載の画像形成装置。
【請求項４】
前記画像形成部を制御する制御部をさらに備え、
前記加工画像を形成する旨の判定を前記判定部がすると、前記画像形成部が前記収容シートに前記加工画像を形成するように、前記制御部が前記画像形成部を制御する、請求項２又は請求項３に記載の画像形成装置。
【請求項５】
前記縁画像の一部が、前記収容シートの縁部の一部と重なることで、前記収容シート上に形成されないように、前記画像形成部が前記収容シートに前記加工画像を形成する、請求項４に記載の画像形成装置。
【請求項６】
前記加工画像が前記収容シート上に複数形成され、
複数の前記加工画像のうち、隣り合う加工画像の前記縁画像の一部同士が互いに重なるように、前記画像形成部が前記収容シートに前記複数の加工画像を形成する、請求項４に記載の画像形成装置。
【請求項７】
前記加工画像が前記収容シート上に複数形成され、
複数の前記加工画像のうち、隣り合う加工画像の縁部同士が互いに間隔を空けて配置されるように、前記画像形成部が前記収容シートに前記複数の加工画像を形成する、請求項４に記載の画像形成装置。
【請求項８】
前記縁画像の色が、前記指示画像の色と異なるように、前記画像形成部が前記収容シートに前記加工画像を形成する、請求項４から請求項７のいずれか１項に記載の画像形成装置。
【発明の詳細な説明】
【技術分野】
【０００１】
本発明は、画像形成装置に関する。
【背景技術】
【０００２】
特許文献１に記載の画像形成装置は、広告レイアウト、及び印刷広告の準備を容易にするために、予め境界線、折り目、又は印刷マークが印刷されたシートに画像を形成する。
【先行技術文献】
【特許文献】
【０００３】
【特許文献１】米国特許公報第４７７５１６９号明細書
【発明の概要】
【発明が解決しようとする課題】
【０００４】
しかし、画像形成装置のカセットに白紙の収容シートが収容されており、収容シートのサイズであるシートサイズの方が、ユーザーが所望するサイズである特定サイズよりも大きいことがあった。この場合、拡大印刷を行うことで、シートサイズに合わせて印刷対象の画像のサイズを拡大する方法が考えられる。
【０００５】
しかし、特定サイズが、例えば、名刺のサイズ、又は官公庁への提出書類のサイズのように、規格により一定の大きさに固定されたサイズの場合、ユーザーは、シートサイズに合わせて拡大印刷を行うことができなかった。この場合、シートサイズの方が特定サイズより大きくても、等倍印刷が行われていた。そして、ユーザーは、印刷後の収容シートを特定サイズに切断していた。しかし、収容シートには特定サイズのシートの縁部の位置を示す画像が形成されていないので、ユーザーは特定サイズのシートの縁部の位置を認識できなかった。その結果、ユーザーは、収容シート上での特定サイズのシートの縁部の位置を推定した後、推定した縁部に沿って収容シートを切断しなければならず、煩雑であった。
【０００６】
本発明は、指示画像が形成された収容シートを特定サイズに切断する作業を、ユーザーが容易に行うことができる画像形成装置を提供することを目的としている。
【課題を解決するための手段】
【０００７】
本発明の一局面によれば、画像形成装置は、収容部と、画像形成部と、取得部と、比較部と、判定部とを備える。収容部は、収容シートを収容する。画像形成部は、前記収容シートに画像を形成する。取得部は、特定サイズのシートに形成するように指示された指示画像の画像データを取得する。比較部は、前記特定サイズと、前記収容シートのサイズであるシートサイズとを比較する。判定部は、前記比較部の比較結果に基づいて、前記収容シートに加工画像を形成するか否かを判定する。前記加工画像は、前記指示画像と、前記特定サイズのシートの縁部の位置を示す縁画像とを含む。
【発明の効果】
【０００８】
本発明によれば、指示画像が形成された収容シートを特定サイズに切断する作業を、ユーザーが容易に行うことができる。
【図面の簡単な説明】
【０００９】
【図１】本発明の実施形態に係る画像形成装置の模式的断面図である。
【図２】画像形成システムの構成を示すブロック図である。
【図３】制御装置の動作を示すフロー図である。
【図４】加工画像の第１例を示す図である。
【図５】確認画面を示す図である。
【図６】加工画像の第２例を示す図である。
【図７】加工画像の第３例を示す図である。
【図８】加工画像の第４例を示す図である。
【図９】加工画像の第５例を示す図である。
【発明を実施するための形態】
【００１０】
本発明の実施形態について、図面を参照しながら説明する。なお、図中、同一又は相当部分については同一の参照符号を付して説明を繰り返さない。
【００１１】
図１を参照して、本発明の実施形態の画像形成装置１００について説明する。図１は、画像形成装置１００を示す模式的断面図である。
【００１２】
図１に示すように、画像形成装置１００は、搬送部１と、入力部２と、読取部３と、筐体４と、カセット５と、ピックアップローラー６と、搬送ローラー７と、画像形成部８と、定着装置９と、排出ローラー１０とを備える。
【００１３】
搬送部１は、読取部３に向けてシートＴ１を搬送する。読取部３は、シートＴ１に形成された画像を走査して、シートＴ１に形成された画像を示す画像データを生成する。読取部３は、例えば、ＬＥＤ（Ｌｉｇｈｔ  Ｅｍｉｔｔｉｎｇ  Ｄｉｏｄｅ）のような発光体と、イメージセンサーのような画像撮像部とを含む。読取部３は、発光体、及び画像撮像部を用いて、シートＴ１に形成された画像を走査する。
【００１４】
入力部２は、表示部２ａと、操作キー群２ｂとを含む。入力部２は、画像形成装置１００に対するユーザーからの指示を受け付ける。表示部２ａは、例えば、タッチパネルとして機能する。
【００１５】
筐体４は、カセット５と、ピックアップローラー６と、搬送ローラー７と、画像形成部８と、定着装置９と、排出ローラー１０とを収容する。
【００１６】
カセット５は、シートＴ２を収容する。カセット５には、白紙のシートＴ２（画像が形成されていないシートＴ２）が収容される。ピックアップローラー６は、カセット５に収容されるシートＴ２をカセット５の外部に送出する。搬送ローラー７は、ピックアップローラー６から送出されたシートＴ２を画像形成部８に向けて搬送する。
【００１７】
シートＴ２は、本発明の収容シートの一例である。
【００１８】
画像形成部８は、シートＴ２に画像を形成する。画像形成部８は、感光体ドラムと、帯電部と、露光部と、現像部と、転写部と、クリーニング部と、除電部とを含む。画像形成部８は、感光体ドラム、帯電部、露光部、現像部、及び転写部によって、シートＴ２に画像（トナー画像）を形成する。クリーニング部は、感光体ドラムの表面に残留しているトナーを除去する。除電部は、感光体ドラムの表面の残留電荷を除去する。
【００１９】
画像形成部８は、例えば、読取部３、又は、外部端末Ｘ（図２参照）から画像データを取得して、取得した画像データが示す画像をシートＴ２に形成する。外部端末Ｘは、例えば、ＰＣ（Ｐｅｒｓｏｎａｌ  Ｃｏｍｐｕｔｅｒ）である。外部端末Ｘは、画像形成装置１００と有線又は無線により通信可能に接続される。
【００２０】
画像形成部８は、シートＴ２に画像を形成した後、定着装置９に向けてシートＴ２を送出する。定着装置９は、画像を加熱及び加圧してシートＴ２に定着させる。
【００２１】
排出ローラー１０は、定着装置９を通過したシートＴ２を、筐体４の外部へ排出する。
【００２２】
シートＴ１及びシートＴ２の各々は、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００２３】
次に、図２を参照して、画像形成装置１００についてさらに説明する。図２は、画像形成装置１００と外部端末Ｘとを備える画像形成システムの構成を示すブロック図である。
【００２４】
図２に示すように、画像形成装置１００は、駆動源１１と、検知部１２と、記憶部１３と、通信部１４と、制御装置１５とをさらに備える。
【００２５】
駆動源１１は、ピックアップローラー６、搬送ローラー７、及び排出ローラー１０のようなシートＴ２を搬送するローラーを駆動させる。駆動源１１は、例えば、モーターを含む。
【００２６】
検知部１２は、カセット５に収容されるシートＴ２のサイズを検知する。検知部１２の構成の一例について説明する。検知部１２は、カーソルと、検知部材とを有する。カーソルは、カセット５に設けられ、カセット５内でシートＴ２の位置を揃える。検知部材は、カーソルの位置を検知する。検知部材は、例えば、ポテンションメーター、又は、ロータリーエンコーダーを含む。検知部１２は、検知部材によりカーソルの位置を検知することで、シートＴ２のサイズを検知する。
【００２７】
記憶部１３は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、制御装置１５によって実行される種々のコンピュータープログラムを記憶する。
【００２８】
通信部１４は、外部端末Ｘとデータの送受信を行う。通信部１４は、例えば、ＬＡＮボードのような通信モジュール（通信機器）である。
【００２９】
制御装置１５は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御装置１５は、画像形成装置１００の各要素を制御する。具体的には、制御装置１５のプロセッサーは、記憶部１３に記憶されたコンピュータープログラムを実行することにより、搬送部１と、入力部２と、読取部３と、画像形成部８と、定着装置９と、駆動源１１と、検知部１２と、記憶部１３とを制御する。
【００３０】
制御装置１５は、取得部１５ａと、比較部１５ｂと、判定部１５ｃと、制御部１５ｄとを有する。具体的には、制御装置１５のプロセッサーが、記憶装置に記憶されたコンピュータープログラムを実行することにより、取得部１５ａ、比較部１５ｂ、判定部１５ｃ、及び制御部１５ｄとして機能する。
【００３１】
外部端末Ｘは、入力部Ｘ１と、表示部Ｘ２と、記憶部Ｘ３と、制御部Ｘ４とを備える。入力部Ｘ１は、外部端末Ｘに対する指示を受け付ける。入力部Ｘ１は、例えば、キーボードを含む。表示部Ｘ２は、各所情報を表示する。表示部Ｘ２は、例えば、液晶表示パネルを含む。表示部Ｘ２は、タッチパネルを含み、入力部Ｘ１として機能してもよい。記憶部Ｘ３は、ＲＯＭ、及びＲＡＭのような主記憶装置を含み、補助記憶装置をさらに含んでもよい。主記憶装置及び／又は補助記憶装置は、制御部Ｘ４によって実行される種々のコンピュータープログラムを記憶する。制御部Ｘ４は、ＣＰＵ及びＭＰＵのようなプロセッサーを含む。制御部Ｘ４は、外部端末Ｘの各要素を制御する。
【００３２】
次に、図１から図５を参照して、制御装置１５の動作について説明する。制御装置１５の動作では、シートＴ２に加工画像２０が形成される。
【００３３】
図３は、制御装置１５の動作を示すフロー図である。図４は、加工画像２０の第１例を示す図である。加工画像２０は、所定サイズの指示画像２１と、縁画像２２とを含む。指示画像２１及び縁画像２２の説明は後述する。
【００３４】
図１〜図４に示すように、ステップＳ１において、画像形成装置１００の入力部２、又は外部端末Ｘの入力部Ｘ１が画像形成指示を受け付ける。画像形成指示は、所定サイズの指示画像２１をシートＴ２に形成する指示である。所定サイズは、特定サイズＬ１のシートのサイズに合わせた指示画像２１のサイズである。特定サイズＬ１は、ユーザーが所望のサイズである。指示画像２１は、ユーザーが所望の画像である。
【００３５】
ユーザーは、入力部２又は入力部Ｘ１から画像形成指示を入力する。その結果、制御装置１５が、画像形成指示を示す信号を取得する。
【００３６】
制御装置１５は、画像形成指示を示す信号を取得すると、画像形成指示に基づいて動作する。
【００３７】
ステップＳ２において、取得部１５ａが指示画像２１の画像データを取得する。
【００３８】
指示画像２１の画像データは、例えば、シートＴ１に形成された指示画像２１を読取部３が走査することで、読取部３により生成される。そして、指示画像２１の画像データは、読取部３から取得部１５ａへ送信される。その結果、取得部１５ａが指示画像２１の画像データを取得する。
【００３９】
指示画像２１の画像データは、外部端末Ｘが有しており、外部端末Ｘから通信部１４を介して取得部１５ａに送信されてもよい。
【００４０】
ステップＳ３において、比較部１５ｂは、シートサイズＬ２と、特定サイズＬ１とを比較する。シートサイズＬ２は、カセット５に収容されるシートＴ２のサイズを示す。特定サイズＬ１は、ステップＳ１において、画像形成指示で指定されたシートのサイズを示す。
【００４１】
シートサイズＬ２の方が特定サイズＬ１よりも大きいと比較部１５ｂが判断すると（ステップＳ３で、Ｙｅｓ）、処理がステップＳ４に移行する。例えば、シートサイズＬ２がＡ３サイズであり、特定サイズＬ１がＡ４サイズの場合、処理がステップＳ４に移行する。
【００４２】
図４において、点線で示される矩形図のサイズは、特定サイズＬ１を示す。図４において、実線で示されるシートＴ２のサイズは、シートサイズＬ２を示す。図４に示すように、シートサイズＬ２の方が特定サイズＬ１よりも大きい場合、処理がステップＳ４に移行する。
【００４３】
シートサイズＬ２の方が特定サイズＬ１よりも大きくないと比較部１５ｂが判断すると（ステップＳ３で、Ｎｏ）、処理がステップＳ７に移行する。例えば、シートサイズＬ２、及び特定サイズＬ１が、共にＡ４サイズの場合、処理がステップＳ７に移行する。また、シートサイズＬ２がＡ４サイズであり、特定サイズＬ１がＡ３サイズの場合、処理がステップＳ７に移行する。
【００４４】
ステップＳ４において、画像形成装置１００の表示部２ａが確認画面３１を表示するように、制御部１５ｄが表示部２ａを制御する。その結果、表示部２ａに確認画面３１が表示される。
【００４５】
図５は、確認画面３１を示す図である。
【００４６】
図１〜図５に示すように、確認画面３１は、シートＴ２に縁画像２２を形成するか否かの確認を行うための画面である。縁画像２２は、特定サイズＬ１のシートの縁部の位置を示す画像である。本実施形態では、縁画像２２は、シートＴ２上に点線で表される。
【００４７】
確認画面３１は、「はい」を示す第１アイコン３１ａと、「いいえ」を示す第２アイコン３１ｂとを含む。
【００４８】
ステップＳ５において、第１アイコン３１ａが入力部２により選択されると、入力部２から判定部１５ｃに必要信号が送信される。その結果、判定部１５ｃが必要信号を受信する。必要信号は、縁画像２２が必要であることを示す信号である。これに対し、第２アイコン３１ｂが入力部２により選択されると、入力部２から判定部１５ｃに不要信号が送信される。その結果、判定部１５ｃが不要信号を受信する。不要信号は、縁画像２２が不要であることを示す信号である。
【００４９】
判定部１５ｃが必要信号を受信した場合（ステップＳ５で、Ｙｅｓ）、処理がステップＳ６に移行する。判定部１５ｃが必要信号を受信しない場合（ステップＳ５で、Ｎｏ）、処理がステップＳ７に移行する。必要信号を受信しない場合は、言い換えれば、不要信号を受信した場合を示す。
【００５０】
ステップＳ６において、判定部１５ｃは、シートＴ２に加工画像２０を形成する旨の判定を行う。そして、画像形成部８がシートＴ２に加工画像２０を形成するように、制御部１５ｄが画像形成部８を制御する。ステップＳ６に示す処理が終了すると、処理が終了する。
【００５１】
なお、ステップＳ１において、画像形成装置１００の入力部２、又は外部端末Ｘの入力部Ｘ１が、１枚のシートＴ２に複数の指示画像２１を形成する画像形成指示を受け付けた場合、ステップＳ６において、画像形成部８が１枚のシートＴ２に複数の加工画像２０を形成するように、制御部１５ｄが画像形成部８を制御してもよい（図８及び図９参照）。
【００５２】
ステップＳ７において、判定部１５ｃは、シートＴ２に加工画像２０を形成しない旨の判定を行う。そして、画像形成部８がシートＴ２に所定サイズの指示画像２１を形成するように、制御部１５ｄが画像形成部８を制御する。この場合、シートＴ２には、所定サイズの指示画像２１が形成されるが、縁画像２２が形成されない。ステップＳ７に示す処理が終了すると、処理が終了する。
【００５３】
以上、図１から図５を参照して説明したように、ステップＳ３〜ステップＳ７において、判定部１５ｃは、比較部１５ｂの比較結果に基づいて、シートＴ２に加工画像２０を形成するか否かを判定する。従って、加工画像２０を形成する旨の判定を判定部１５ｃがすると、シートＴ２には画像形成部８により加工画像２０が形成される。その結果、ユーザーは、加工画像２０の縁画像２２（図４参照）に沿ってシートＴ２を切断することでシートＴ２を特定サイズＬ１に切断することができるので、指示画像２１が形成されたシートＴ２を特定サイズＬ１に切断する作業を容易に行うことができる。
【００５４】
また、ステップＳ３〜ステップＳ６において、シートサイズＬ２が特定サイズＬ１よりも大きいと比較部１５ｂが判断し、かつ、必要信号を判定部１５ｃが受信すると、判定部１５ｃは、シートＴ２に加工画像２０を形成する旨の判定をする。その結果、シートサイズＬ２が特定サイズＬ１よりも大きい場合、シートＴ２に縁画像２２を形成するか否かを、ユーザーに判断させることができる。
【００５５】
次に、図４を参照して、加工画像２０の第１例について説明する。
【００５６】
図４に示すように、指示画像２１は、縁画像２２の内側に配置される。縁画像２２は、例えば、矩形状に形成された線画像で表される。線画像には、実線の画像のみならず、点線の画像、破線の画像、及び鎖線の画像も含まれる。本実施形態では、縁画像２２は、矩形状に形成された点線の画像で表される。
【００５７】
加工画像２０の第１例では、縁画像２２の一部が、シートＴ２の縁部Ｔ２１と重なることで、シートＴ２上に形成されない。これに対し、縁画像２２の一部以外の部分がシートＴ２上に形成される。具体的には、縁画像２２の４辺２２ａうちの１辺Ｈ１が、シートＴ２の縁部Ｔ２１の一部と重なることで、シートＴ２上に形成されない。これに対し、縁画像２２の４辺２２ａうちの３辺Ｈ２がシートＴ２上に形成される。この場合、ユーザーが、縁画像２２に沿ってシートＴ２を特定サイズＬ１に切断する際、縁画像２２の４辺２２ａのうちの３辺Ｈ２に沿ってシートＴ２を切断すればよく、４辺２２ａ全部に沿ってシートＴ２を切断する必要が無い。その結果、ユーザーは、シートＴ２を特定サイズＬ１に切断する作業を容易に行うことができる。
【００５８】
なお、シートＴ２には、縁画像２２の全部が形成されてもよい。その結果、ユーザーは、シートＴ２上の縁画像２２の全部の位置を認識することができる。
【００５９】
次に、図６を参照して、加工画像２０の第２例について説明する。図６は、加工画像２０の第２例を示す図である。
【００６０】
図６に示すように、加工画像２０の第２例では、加工画像２０がシートＴ２の隅部Ｔ２２に形成される。その結果、縁画像２２の４辺２２ａうちの２辺Ｈ１が、シートＴ２の縁部Ｔ２１の一部と重なることで、シートＴ２上に形成されない。また、縁画像２２の４辺２２ａうちの２辺Ｈ２がシートＴ２上に形成される。
【００６１】
加工画像２０の第２例では、ユーザーが、縁画像２２に沿ってシートＴ２を特定サイズＬ１に切断する際、縁画像２２の４辺２２ａのうちの２辺Ｈ２に沿ってシートＴ２を切断すればよい。その結果、ユーザーは、シートＴ２を特定サイズＬ１に切断する作業をより容易に行うことができる。
【００６２】
次に、図７を参照して、加工画像２０の第３例について説明する。図７は、加工画像２０の第３例を示す図である。
【００６３】
図７に示すように、加工画像２０の第３例では、加工画像２０がシートＴ２の端部Ｔ２３に形成される。その結果、縁画像２２の４辺２２ａうちの３辺Ｈ１が、シートＴ２の縁部Ｔ２１の一部と重なることで、シートＴ２の縁部Ｔ２１の一部と重なる。また、縁画像２２の４辺２２ａうちの１辺Ｈ２がシートＴ２上に形成される。
【００６４】
加工画像２０の第３例では、ユーザーが、縁画像２２に沿ってシートＴ２を特定サイズＬ１に切断する際、縁画像２２の４辺２２ａのうちの１辺Ｈ２に沿ってシートＴ２を切断すればよい。その結果、ユーザーは、シートＴ２を特定サイズＬ１に切断する作業をより容易に行うことができる。
【００６５】
次に、図８を参照して、加工画像２０の第４例について説明する。図８は、加工画像２０の第４例を示す図である。
【００６６】
図４に示すように、シートＴ２上には複数の加工画像２０が形成される。複数の加工画像２０のうち、隣り合う加工画像２０の縁画像２２の一部同士が互いに重なっている。この場合、ユーザーが、隣り合う加工画像２０を分離する際、隣り合う加工画像２０の互いに重なる縁画像２２に沿ってシートＴ２を切断すればよい。その結果、ユーザーは、１回の切断作業で隣り合う加工画像２０を分離することができるので、隣り合う加工画像２０を容易に分離することができる。
【００６７】
次に、図９を参照して、加工画像２０の第５例について説明する。図９は、加工画像２０の第５例を示す図である。
【００６８】
図５に示すように、シートＴ２上には複数の加工画像２０が形成される。複数の加工画像２０のうち、隣り合う加工画像２０の縁画像２２同士が互いに間隔Ｋを空けて配置される。この場合、ユーザーが、縁画像２２に沿ってシートＴ２を切断する際に、ミスにより縁画像２２からそれるようにシートＴ２を切断しても、シートＴ２上の間隔Ｋの部分が切断されることで、縁画像２２の内部の領域Ｒが切断されることを抑制できる。
【００６９】
以上、図面（図１〜図９）を参照しながら本発明の実施形態について説明した。但し、本発明は、上記の実施形態に限られるものではなく、その要旨を逸脱しない範囲で種々の態様において実施することが可能である（例えば、（１）〜（７））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００７０】
（１）本実施形態では、画像形成装置１００はシートＴ２にトナーの画像を形成する。しかし、本発明はこれに限定されない。画像形成装置１００は、シートＴ２に画像を形成する機能を有していればよい。画像形成装置１００は、シートＴ２にインクの画像を形成してもよい。また、画像形成装置１００は、プリンター単体、複写機、ファクシミリ装置、及び複合機でもよい。
【００７１】
（２）図２、図３、及び図５に示すように、ステップＳ４において、確認画面３１が画像形成装置１００の表示部２ａに表示される。しかし、本発明はこれに限定されない。確認画面３１は、外部端末Ｘの表示部Ｘ２に表示されてもよい。この場合、外部端末Ｘの入力部Ｘ１が第１アイコン３１ａの選択（タッチ操作）と、第２アイコン３１ｂの選択とを受け付ける。そして、ステップＳ５において、画像形成装置１００の判定部１５ｃは、外部端末Ｘから送信された必要信号又は不要信号を受信する。
【００７２】
（３）図２及び図３に示すように、ステップＳ３、及びステップＳ７において、特定サイズＬ１の方がシートサイズＬ２よりも大きいと比較部１５ｂが判断した場合（特定サイズＬ１＞シートサイズＬ２）、所定サイズの指示画像２１がシートＴ２に形成されるように、制御部１５ｄが画像形成部８を制御する。しかし、本発明はこれに限定されない。この場合、所定サイズに対して第１所定倍率で縮小された指示画像２１がシートＴ２に形成されるように、制御部１５ｄが画像形成部８を制御してもよい。第１所定倍率は、特定サイズＬ１が略シートサイズＬ２まで縮小されるときの縮小倍率を示す。その結果、シートサイズＬ２に応じたサイズの指示画像２１を、シートＴ２に形成することができる。
【００７３】
（４）図３及び図５に示すように、ステップＳ４及びステップＳ５において、確認画面３１の第２アイコン３１ｂが選択された場合、ステップＳ７において、所定サイズの指示画像２１がシートＴ２に形成されるように、制御部１５ｄが画像形成部８を制御する。しかし、本発明はこれに限定されない。この場合、所定サイズに対して第２所定倍率で拡大された指示画像２１がシートＴ２に形成されるように、制御部１５ｄが画像形成部８を制御してもよい。また、この場合、所定サイズの指示画像２１をシートＴ２に形成するか、又は、第２所定倍率で拡大された指示画像２１がシートＴ２に形成するかを、入力部２から選択できてもよい。第２所定倍率は、特定サイズＬ１が略シートサイズＬ２まで拡大されるときの拡大倍率を示す。
【００７４】
（５）ステップＳ６において、シートＴ２に加工画像２０が形成されると、加工画像２０が形成されたことを示す情報が、画像形成装置１００の表示部２ａに表示されてもよい。その結果、ユーザーは、表示部２ａを視認することで、シートＴ２に縁画像２２が形成されたことを認識することができる。なお、加工画像２０が形成されたことを示す情報は、外部端末Ｘの表示部Ｘ２に表示されてもよい。
【００７５】
（６）縁画像２２の色が、加工画像２０の色と異なっていてもよい。色が異なることは、色の濃さ、又は、色の種類が異なることを示す。その結果、ユーザーによる縁画像２２の視認性を向上させることができる。
【００７６】
（７）本実施形態では、図３及び図５に示すように、ステップＳ４及びステップＳ５において、確認画面３１の第１アイコン３１ａが選択された場合、ステップＳ７において、加工画像２０がシートＴ２に形成されるように、制御部１５ｄが画像形成部８を制御する。しかし、本発明はこれに限定されない。制御装置１５の動作において、ステップＳ４に示す処理と、ステップＳ５に示す処理とが無くてもよい。この場合、ステップＳ３において、シートサイズＬ２の方が特定サイズＬ１よりも大きいと比較部１５ｂが判断すると（ステップＳ３で、Ｙｅｓ）、処理がステップＳ６に移行して、シートＴ２に加工画像２０が形成される。その結果、縁画像２２を形成するか否かを選択する処理（ステップＳ４及びステップＳ５参照）が省略されるので、シートＴ２に加工画像２０を形成する処理を迅速に行うことが可能になる。
【産業上の利用可能性】
【００７７】
本発明は、画像形成装置の分野に利用可能である。
【符号の説明】
【００７８】
５      カセット（収容部）
８      画像形成部
１５ａ  取得部
１５ｂ  比較部
１５ｃ  判定部
１５ｄ  制御部
２０    加工画像
２１    指示画像
２２    縁画像
１００  画像形成装置
Ｌ１    特定サイズ
Ｔ２    シート（収容シート）
Ｌ２    シートサイズ
Ｘ      外部端末
【図１】
2020112653.tif 000003
【図２】
2020112653.tif 000004
【図３】
2020112653.tif 000005
【図４】
2020112653.tif 000006
【図５】
2020112653.tif 000007
【図６】
2020112653.tif 000008
【図７】
2020112653.tif 000009
【図８】
2020112653.tif 000010
【図９】
2020112653.tif 000011